(57)【特許請求の範囲】
【請求項１】
刈取部（６）を左右スライド可能としたコンバインにおいて、該刈取部（６）の右側刈取フレーム（３３）の前後中途部上より上方へ、右第三支持パイプ（１０２）を立設し、進行方向右側の引き起しケース（３５）の上部駆動ケース（３７）と連結し、該引き起しケース（３５）と右側刈取フレーム（３３）と右第三支持パイプ（１０２）とにより、側面視三角形状の枠組みを構成し、前記右側刈取フレーム（３３）より上斜め後方へ、右第一支持パイプ（１００）を延設し、スライド側の右側刈取フレーム（３３）の後部に右側伝動ギアケース（８１）を設け、該右側伝動ギアケース（８１）より右第二支持パイプ（１０１）を上斜め後方へ延設し、該右第一支持パイプ（１００）と右第二支持パイプ（１０１）を連結し、両パイプにより右側のスターホイル（４０）と掻込ベルト（４１）と株元搬送装置（４２）を支持し、更に、両パイプの連結部の後部上方に伝動パイプ（１０４）を立設し、該伝動パイプ（１０４）により、上方の下部搬送装置（４３）と上部搬送装置（４４）を支持したことを特徴とするコンバイン。
【請求項２】
請求項１記載のコンバインにおいて、前記右側伝動ギアケース（８１）より駆動軸（１０７）を上方に突出し、該駆動軸（１０７）上に株元搬送装置（４２）を駆動する駆動スプロケット（１２２）を固定し、該駆動スプロケット（１２２）にチェーン（１２３）を巻回し、前記右第二支持パイプ（１０１）の左右方向に配置し、該右第二支持パイプ（１０１）に付設したアーム（１２８）に、チェーン（１２３）のテンションスプロケット（１２１）を回動自在に支持し、該チェーン（１２３）の後側非搬送部を、運転部（３）のフロントコラム（４）の前面と平行して、左右スライドすべく構成したことを特徴とするコンバイン。
【発明の詳細な説明】
【０００１】
【発明の属する技術分野】
本発明は、コンバインの前部に配置して左右にスライド可能とした刈取部の搬送部の支持構成に関する。
【０００２】
【従来の技術】
従来からコンバインによる刈取作業は、圃場の周囲から中央に順次回りながら刈り取る「回り刈り作業」と、圃場の幅方向の中途部を刈り取って刈取作業効率を上げる「中割り作業」が行われるが、圃場端の畦際刈取作業や中割り作業の場合には刈取部を機体中央側にスライドさせて機体幅全面で刈取作業を行い、回り刈り作業の場合には未刈り側の穀稈から離れて、未刈り穀稈を踏みつけたり、切断藁を未刈り側へ排出しないように、刈取部を未刈り側へスライドさせて刈取作業を行えるようにしたコンバインが公知となっている。例えば、特開平７−３０８１１４号公報の技術である。
【０００３】
【発明が解決しようとする課題】
前記特開平７−３０８１１４号の技術は、機体前部に刈取部を配設し、刈取入力軸から縦伝動軸を介して、刈取フレームの下部に横架された伸縮可能な伝動軸に伝えられ、該伸縮可能な伝動軸から平行に配置された横伝動軸の側端部に動力が伝達されて、下部搬送装置や引き起し装置や刈刃等が駆動される構成としていた。
【０００４】
しかし、刈取部の搬送装置は、前端の左右分草板より中央へ穀稈を集めて、進行方向左側後方へ搬送するようにしていたので、刈取部の右前方へ突出した右分草板後部の下部搬送装置と、機体のフロントコラムの前端との間で接触を避けるため、該刈取部は前方に配置され、更に刈取部は左右にスライドさせる必要があるため、更に前方へ配置されることとなって、コンバインの全長が長くなると共に、刈取部が機体より離れる方向に配設されるため、該刈取部の支持部材の剛性を高めるために複雑な構成となり、機体重量が増していた。
また、コンバインの全長が長くなることより、機体の旋回モーメントが大きく、機体の操縦性を向上することが困難である。
【０００５】
【課題を解決するための手段】
本発明の解決しようとする課題は以上の如くであり、次に該課題を解決するための手段を説明する。
【０００６】
請求項１においては、刈取部（６）を左右スライド可能としたコンバインにおいて、該刈取部（６）の右側刈取フレーム（３３）の前後中途部上より上方へ、右第三支持パイプ（１０２）を立設し、進行方向右側の引き起しケース（３５）の上部駆動ケース（３７）と連結し、該引き起しケース（３５）と右側刈取フレーム（３３）と右第三支持パイプ（１０２）とにより、側面視三角形状の枠組みを構成し、前記右側刈取フレーム（３３）より上斜め後方へ、右第一支持パイプ（１００）を延設し、スライド側の右側刈取フレーム（３３）の後部に右側伝動ギアケース（８１）を設け、該右側伝動ギアケース（８１）より右第二支持パイプ（１０１）を上斜め後方へ延設し、該右第一支持パイプ（１００）と右第二支持パイプ（１０１）を連結し、両パイプにより右側のスターホイル（４０）と掻込ベルト（４１）と株元搬送装置（４２）を支持し、更に、両パイプの連結部の後部上方に伝動パイプ（１０４）を立設し、該伝動パイプ（１０４）により、上方の下部搬送装置（４３）と上部搬送装置（４４）を支持したものである。
【０００７】
請求項２においては、請求項１記載のコンバインにおいて、前記右側伝動ギアケース（８１）より駆動軸（１０７）を上方に突出し、該駆動軸（１０７）上に株元搬送装置（４２）を駆動する駆動スプロケット（１２２）を固定し、該駆動スプロケット（１２２）にチェーン（１２３）を巻回し、前記右第二支持パイプ（１０１）の左右方向に配置し、該右第二支持パイプ（１０１）に付設したアーム（１２８）に、チェーン（１２３）のテンションスプロケット（１２１）を回動自在に支持し、該チェーン（１２３）の後側非搬送部を、運転部（３）のフロントコラム（４）の前面と平行して、左右スライドすべく構成したものである。
【０００８】
【発明の実施の形態】
次に、発明の実施例を説明する。
図１は本発明の刈取装置を装備したコンバインの全体側面図、図２は同じく平面図、図３は刈取部の左側面図、図４は同じく平面図、図５は刈取スライドの上部ガイド部の平面図、図６は刈取スライド駆動部の平面断面図、図７は右下部搬送装置の平面図、図８は刈取部の右側面図である。
【０００９】
図１、図２よりコンバインの全体構成から説明する。
クローラー式走行装置１上に機体フレーム２を支持し、該機体フレーム２の進行方向右側前部上に運転部３を配置し、該運転部３は前部にフロントコラム４を立設して、該フロントコラム４上に操向レバーやアクセルレバー等を配置し、フロントコラム４側部の機体中央側にサイドコラム５を立設し、該サイドコラム５上に作業クラッチレバーや変速レバーやスライドレバー等を配置している。
【００１０】
そして、機体フレーム２の進行方向左側から前方へ、本発明のスライド可能とする刈取部６が突出配置され、穀稈を引き起こして株元を刈刃によって刈り取り、搬送装置によって後方へ搬送する。該刈取部６の後部には、脱穀部７が配置され、搬送装置によって搬送された穀稈の株元を、フィードチェーン８によって挟持して後方へ搬送しながら、扱胴９によって脱粒する。脱穀後の排藁は、排藁チェーン１０によって後方へ搬送され、カッターや結束装置等の排藁処理装置１１によって処理される。
【００１１】
前記脱穀部７の下部には選別装置が配置され、該選別装置によって選別された後の二番物は再度扱胴９または処理胴へ還元され、ゴミ等は排出され、穀粒は一番コンベアや揚穀コンベア１２を介して運転部３後部に配置したグレンタンク１３に搬送される。該グレンタンク１３内の下部には、下部コンベアが配置され、該下部コンベアは排出オーガ１４に連通され、該下部コンベア及び排出オーガ１４を駆動することによって、グレンタンク１３内の穀粒を排出できるようにしている。
【００１２】
また、前記運転部３における座席１５下方にはエンジン１６が配置され、該エンジン１６の駆動力を、前記クローラー式走行装置１に伝えて走行し、刈取部６、脱穀部７、選別部等の各部に伝えて、連続的に刈り取り、脱穀・選別作業を行い穀粒をグレンタンク１３に貯留するのである。
【００１３】
次に、刈取部６の構成を図３、図４より説明する。
機体フレーム２の前部上に、回動支点台２０・２１を設け、該回動支点台２０・２１上部にパイプより構成された上下回動支点軸２２を枢支し、該上下回動支点軸２２は入力ギヤケース２３より左右に突出され、該上下回動支点軸２２内には、刈取入力軸（伝動１軸）１９が軸支されて、該刈取入力軸１９の一端は進行方向右側に突出されて入力プーリー２４を固設している。
【００１４】
前記入力ギヤケース２３より前下方に、縦連結パイプ２５が突設され、該縦連結パイプ２５の中途部と機体フレーム２の間に昇降用油圧シリンダー２６が介装されて、該縦連結パイプ２５の前端に、後述する本発明のスライド支持ケース２７が固設されている。該スライド支持ケース２７にスライドパイプ３０を摺動自在に支持し、該スライドパイプ３０両側に支持プレート３１・３１を固設して、該支持プレート３１・３１の前部間に横連結フレーム３２を固設している。
【００１５】
該横連結フレーム３２より刈取フレーム３３・３３・・・が前方に突設され、該刈取フレーム３３・３３・・・前端にそれぞれ分草板３４・３４・・・が固設されている。該分草板３４・３４・・・の後部には、３条の引き起しケース３５・３５・３５が立設され、該引き起しケース３５・３５・３５には、それぞれタイン３６・３６・・・を設けたチェーンが収納され、該引き起しケース３５・３５・３５の上部の裏面からそれぞれ動力が入力され、各入力軸は引き起しケース３５・３５・３５の上方に横設した引き起し駆動ケース３７内の伝動軸と連動連結されている。
【００１６】
該引き起し駆動ケース３７の右側下部には、右側刈取フレーム３３より上方に立設した支持フレーム２８が連結されて支持され、引き起し駆動ケース３７の左側下部にはパイプ状に構成した左伝動ケース２９が連結され、該左伝動ケース２９の下部はスライドパイプ３０の左側に連結して、左伝動ケース２９内に軸支した伝動軸を介して引き起しケース３５に動力を伝える構成としている。
【００１７】
また、前記刈取フレーム３３・３３・・・の後部間の下側には刈刃３９が横設され、刈取フレーム３３・３３・・・上方には、穀稈の株元側を掻き込むスターホイル４０・４０・４０と掻込ベルト４１・４１・４１が配置され、更に上後方へ株元搬送装置４２Ｌ・４２Ｒが配置され、その上方には下部搬送装置４３Ｌ・４３Ｒ、上部搬送装置４４・４４が配置されて、前記刈刃３９によって刈り取った後の穀稈が、株元搬送装置４２Ｌ・４２Ｒ、下部搬送装置４３Ｌ・４３Ｒ、上部搬送装置４４・４４によって後方へ搬送されて一つに合流される。
更に、その後部で機体側に縦搬送装置４５と穂先搬送装置４６が配置されて、搬送された穀稈の株元側は縦搬送装置４５、穂先側は穂先搬送装置４６に受け継がれて、穀稈の株元側は更に前記フィードチェーン８に受け継がれて脱穀部７へ搬送するようにしている。
【００１８】
前記縦搬送装置４５は、後部側が上下回動自在に支持されて図示しないモーターを駆動することによって前側を上下に回動可能とされ、穀稈の長さに合わせて上下に回動するように制御されている。
また、縦搬送装置４５の前部はリンク等を介して刈取フレーム側から延出したフレームと連結されて、左右スライドさせた時に追随して回動され、受け継ぎミスが生じないようにしている。
【００１９】
また、刈取部６の上部を支持するために、図３、図５に示すように、前記縦連結パイプ２５と入力ギヤケース２３からそれぞれ右上方に補強フレーム５０・５１が延設され、該補強フレーム５０・５１の上端部に、上部フレーム５２が水平方向に横設され、該上部フレーム５２は前後フレーム５２ａとその先端より左方へ延設する左右フレーム５２ｂからなり、平面視略Ｌ字状に構成されている。該前後フレーム５２ａは前記サイドコラム５の側部に配置され、左右フレーム５２ｂは前記引き起し駆動ケース３７の後部に平行に配置される。
【００２０】
更に、該上部フレーム５２の左右フレーム５２ｂの左端より前後フレーム５２ａの後部上までの間に、Ｌ字状に構成したカバー支持フレーム５３が固設されて、該カバー支持フレーム５３と前記上部フレーム５２とで枠状に構成して剛性を高めている。この上部フレーム５２とカバー支持フレーム５３の上部に防塵カバー５４を固定している。
【００２１】
前記上部フレーム５２の前後フレーム５２ａは正面断面視「コ」字状に構成され、該前後フレーム５２ａの前後中途部に、支点軸５５によって揺動フレーム５６の後部を枢支し、該揺動フレーム５６の前端はＬ字状に形成されて、この先端部に枢支軸５７を介して引き起し駆動ケース３７に固設したブラケットに枢支している。
また、前記左右フレーム５２ｂ上には摺動体５９が嵌合され、該摺動体５９は上下二つのローラーを回転自在に枢支して、左右フレーム５２ｂの上下に配置して左右摺動自在とし、該摺動体５９のケースは引き起し駆動ケース３７の左側に固設されている。
【００２２】
このように構成することで、刈取部６は縦連結パイプ２５から下方で支持するだけでは、前方へ倒れてしまうので、刈取部６の上部位置を縦連結パイプ２５から上方に突出した補強フレーム５０・５１や上部フレーム５２や揺動フレーム５６等を介して連結支持することで、前方への倒れを防止している。
また、刈取部６を左右スライドさせた場合でも、それに追随して揺動フレーム５６が回動し、また、刈取部６を左側へスライドさせると、重心が左側へ移動するが、前記摺動体５９によって左側を支持して刈取部６の左側が傾くことを防止している。
【００２３】
次に、動力伝達機構を収納したスライド部の構成を図６によって説明する。
図６に示すように、前記左パイプ３０Ｌの外側（左端）には伝動ギアケース８０が嵌合固定され、右パイプ３０Ｒの外側（右端）には伝動ギアケース８１が嵌合固定されている。但し、左右一方のスライドパイプ３０と伝動ギアケースの間を嵌合、他方を固定として組立を簡単として、捩じれにも対応できるようにすることもできる。
【００２４】
そして、該伝動ギアケース８１とスライド支持ケース２７の間に油圧シリンダー８２が介装されて、刈取部６を左右にスライド駆動できるようにしている。
また、伝動ギアケース８０・８１の外側端に、前記支持プレート３１・３１が固設されて、支持プレート３１・３１前端部が、横連結フレーム３２と連結固定する構成としている。
【００２５】
前記縦連結パイプ２５先端にスライド支持ケース２７の左側が固設され、該縦連結パイプ２５内に軸支した伝動二軸６２の下端が、スライド支持ケース２７内に挿入されて、伝動二軸６２端部上にベベルギア７０を固設し、該ベベルギア７０はスライド支持ケース２７内に支持した伝動三軸６３の左端部上に固設したベベルギア７１と噛合させている。
【００２６】
前記伝動三軸６３はベアリングを介して、スライド支持ケース２７に左右方向に回転自在に支持され、該伝動三軸６３はスプラインに構成されて、該スプライン上に平歯車より構成した摺動歯車７２が摺動自在にスプライン嵌合され、該摺動歯車７２は連結体７３にベアリングを介して回転自在に支持され、該連結体７３の他側にはベアリングを介して平歯車より構成した歯車７４が回転自在に支持され、該歯車７４は前記スライドパイプ３０に回転自在に支持された伝動四軸６４上に固設されて、前記摺動歯車７２と歯車７４が常時噛合されている。つまり、スライドパイプ３０が摺動されると、該スライドパイプ３０に支持された伝動四軸６４と歯車７４と連結体７３と摺動歯車７２が一体的に摺動し、該摺動歯車７２が伝動三軸６３上を摺動して、動力は伝動三軸６３より摺動歯車７２と歯車７４を介して伝動四軸６４へ常時伝えるようにしているのである。
【００２７】
次に刈取部６の右搬送装置の支持構成について説明する。図７、図８において説明する。
刈取部６の右側の刈取フレーム３３の前後中途部上に前記支持フレーム２８と支持ステー９７が立設され、該支持フレーム２８と支持ステー９７の上端に取付ステー９９が固設され、該取付ステー９９に右第一支持パイプ１００と右第三支持パイプ１０２の下端が固設されている。該右第三支持パイプ１０２は、上方へ延設されて前述の上部駆動ケース３７の右端に固設され、引き起しケース３５と刈取フレーム３３と右第三支持パイプ１０２と支持フレーム２８と支持ステー９７によって三角形状の枠組み構成として剛性を高め、刈取部６の右側を強固に支持している。
【００２８】
また、前記右第一支持パイプ１００は斜め上後方、かつ，左右中央後方へ延設されて、該右第一支持パイプ１００の後端にはステー１０６が固結されて、該ステー１０６に縦搬送装置４５と連結するための連結リンク１０５が後方に突出され、更に、スプロケット１２０が回動自在に枢支されている。その前部の右第一支持パイプ１００に伝動パイプ１０４の下部の一側面がブラケットを介して固定されている。
【００２９】
該伝動パイプ１０４の下部の他側面にはブラケットを介して右第二支持パイプ１０１の後部が固定され、該右第二支持パイプ１０１は平面視Ｌ字状として、前右前方へ延出され、該右第二支持パイプ１０１の前部下面には、ステー１０１ａを固設して、該ステー１０１ａ下面に連結プレートを介して、前記スライドパイプ３０の右側に固定した伝動ギアケース８１の上面に連結固定している。該伝動ギアケース８１の側部には支持プレート３１が螺子により螺装固定されて右側刈取フレーム３３と連結している。
【００３０】
このようにして、右側刈取フレーム３３と支持フレーム２８と支持ステー９７と右第一支持パイプ１００と伝動パイプ１０４と右第二支持パイプ１０１と伝動ギアケース８１と支持プレート３１を連結固定して剛性を高め、右側のスターホイル４０と掻込ベルト４１と株元搬送装置４２Ｒを支持し、更に、前記伝動パイプ１０４の上部に下部搬送装置４３Ｒの後部が支持され、更にその上に伝動パイプ１０４ｂを立設して、その上部に上部搬送装置４４Ｒが固設されて、簡便な構成により支持される構成としている。
【００３１】
前記右第一支持パイプ１００の前下部には、前記掻込ベルト４１のケース１０３が、溶接固定されており、該ケース１０３の下方において、掻込ベルト４１が前後二つのプーリーに巻回されている。この後側のプーリーは伝動軸１２６の上部に固設され、該伝動軸１２６の上端は前記右第一支持パイプ１００に固設され、該伝動軸１２６の下端にはスターホイル４０が固設され、その上に株元搬送装置４２Ｒの伝動スプロケット１２７が固設されている。
【００３２】
また、前記伝動ギアケース８１より上方に伝動パイプ８１ａを上方に突出して駆動軸１０７を軸支し、該駆動軸１０７上端に駆動スプロケット１２２が固設され、前記右第二支持パイプ１０１の前右端にアーム１２８が枢支され、該アーム１２８先端にテンションスプロケット１２１が回転自在に支持されている。前記伝動パイプ１０４に軸支した伝動軸の下部に伝動スプロケット１２５が固設され、更に、前記右第二支持パイプ１０１の中途部にアーム１２９を固設し、該アーム１２９の先端にスプロケット１２４が回転自在に枢支されている。
【００３３】
そして、前記駆動スプロケット１２２、テンションスプロケット１２１、伝動スプロケット１２７、スプロケット１２０、伝動スプロケット１２５、スプロケット１２４にチェーン１２３が巻回されて、図示しない挟扼杆とにより株元搬送装置４２Ｒを構成している。よって、前記駆動スプロケット１２２は前記伝動ギアケース８１より上方に突出した駆動軸に固設されて、株元搬送装置４２Ｒが駆動され、掻込ベルト４１とスターホイル４０が駆動され、更に、伝動スプロケット１２５より前記伝動パイプ１０４内に軸支した伝動軸を介して下部搬送装置４３Ｒと上部搬送装置４４Ｒが同時に駆動されるのである。
【００３４】
前記テンションスプロケット１２１は、駆動スプロケット１２２と伝動スプロケット１２７の間に配置されて、アーム１２８をバネで付勢することによってチェーン１２３の弛みを防止しており、前記スプロケット１２４は駆動スプロケット１２２と伝動スプロケット１２５の間に配置して、該スプロケット１２４と駆動スプロケット１２２の間の非搬送側の後側のチェーン１２３が前記スライドパイプ３０や横連結フレーム３２と平行となり、前記右第二支持パイプ１０１に沿うように左右方向に張設されるようにしている。
【００３５】
このようにチェーン１２３を張設することによって、図５において示すように、刈取フレーム３３の右側部分の後方には、前記フロントコラム４が配設されているが、刈取部６をスライドさせたり昇降させたときに、フロントコラム４との干渉を避けて容易に配置でき、これにより、刈取部６の前後長を短縮可能であり、該刈取部６を機体に接近させて配置できるのである。そして、機体の全長を短縮できることによって機体の操作性を向上でき、刈取部６の摺動時のモーメントを減少でき、作業性を向上できるのである。
【００３６】
上記の構成をとるため、刈取部６をコンパクトに構成可能であり、該刈取部６において刈取フレーム３３の構成を変更することなく、該刈取部６の左右方向の摺動量を増加可能であり、刈取作業の操作性を向上可能である。また、前記チェン１２３のフロントコラム４に接近する右側後部が、前記支持フレーム１０１の下方に位置するため、該フロントコラム４とチェン１２３との接触を防止可能であり、該チェン１２３およびフロントコラム４を保護可能である。また、フロントコラム４の前面に空間を設けることが可能であるため、機体の設計上の自由度を向上可能である。
【００３７】
【発明の効果】
本発明は以上の如く構成したので、次のような効果を奏するのである。
請求項１の如く、刈取部（６）を左右スライド可能としたコンバインにおいて、該刈取部（６）の右側刈取フレーム（３３）の前後中途部上より上方へ、右第三支持パイプ（１０２）を立設し、進行方向右側の引き起しケース（３５）の上部駆動ケース（３７）と連結し、該引き起しケース（３５）と右側刈取フレーム（３３）と右第三支持パイプ（１０２）とにより、側面視三角形状の枠組みを構成し、前記右側刈取フレーム（３３）より上斜め後方へ、右第一支持パイプ（１００）を延設し、スライド側の右側刈取フレーム（３３）の後部に右側伝動ギアケース（８１）を設け、該右側伝動ギアケース（８１）より右第二支持パイプ（１０１）を上斜め後方へ延設し、該右第一支持パイプ（１００）と右第二支持パイプ（１０１）を連結し、両パイプにより右側のスターホイル（４０）と掻込ベルト（４１）と株元搬送装置（４２）を支持し、更に、両パイプの連結部の後部上方に伝動パイプ（１０４）を立設し、該伝動パイプ（１０４）により、上方の下部搬送装置（４３）と上部搬送装置（４４）を支持したので、刈取フレームと右第三支持パイプと引き起しケースとによって剛性を高くして強固に支持できるようになったのである。
また、前記刈取フレームより上後方に右第一支持パイプを延設し、右側伝動ギアケースより右第二支持パイプを上後方へ延設して、右第一支持パイプと右第二支持パイプを連結して、両パイプに右側のスターホイルと掻込ベルトと株元搬送装置を支持したので、支持構成が簡単でありながら各装置を支持するに耐えられる強度をもって支持できるようになったのである。
【００３８】
また、前記右第一支持パイプと右第二支持パイプの後部より上方に伝動パイプを立設し、該伝動パイプに下部搬送装置と上部搬送装置を支持したので、下部搬送装置と上部搬送装置の支持構成が簡単となり、同時に両装置への駆動も同時にできるようになったのである。
【００３９】
請求項２の如く、前記右側伝動ギアケース（８１）より駆動軸（１０７）を上方に突出し、該駆動軸（１０７）上に株元搬送装置（４２）を駆動する駆動スプロケット（１２２）を固定し、該駆動スプロケット（１２２）にチェーン（１２３）を巻回し、前記右第二支持パイプ（１０１）の左右方向に配置し、該右第二支持パイプ（１０１）に付設したアーム（１２８）に、チェーン（１２３）のテンションスプロケット（１２１）を回動自在に支持し、該チェーン（１２３）の後側非搬送部を、運転部（３）のフロントコラム（４）の前面と平行して、左右スライドすべく構成したので、右第二支持パイプが株元搬送装置の非搬送側のチェーンをガイドして、刈取部のスライド時や昇降時に、前記チェーンがフロントコラムと干渉しないように配置することができる。そして、スプロケットの配置位置もアームの取付変更によって容易に変更できる。
【００４０】
また、刈取部を左右スライド可能としたコンバインにおいて、スライド側の右刈取フレームの後部に右側伝動ギアケースを設け、該伝動ギアケースより駆動軸を上方に突出し、該駆動軸上に株元搬送装置を駆動するスプロケットを固定し、該スプロケットに巻回される株元搬送装置の非搬送側の後側チェーンを左右方向に配設したので、非搬送側の後側チェーンはフロントコラムの前面と平行となり、刈取部をスライドさせたり昇降したりするときにチェーンがフロントコラムと干渉することがなくなり、また、株元搬送装置をできるだけ後側へ寄せて配置することができるようになり、刈取部の前方への突出量が小さくなり、全長を短くすることに貢献できて、旋回半径を小さくできて、旋回時のモーメントおよび、刈取部摺動時のモーメントを減少可能であるため、該機体の操作性を向上可能であり、刈取部の右後部をコンパクトに形成できる。また、該刈取部の左右方向の摺動量を増加することも可能となる。
【図面の簡単な説明】
【図１】  本発明の刈取装置を装備したコンバインの全体側面図である。
【図２】  同じく平面図である。
【図３】  刈取部の側面図である。
【図４】  同じく平面図である。
【図５】  刈取スライドの上部ガイド部の平面図である。
【図６】  刈取スライド駆動部の平面断面図である。
【図７】  右下部搬送装置の平面図である。
【図８】  刈取部の右側面図である。
【符号の説明】
６      刈取部
３３    刈取フレーム
４０    スターホイル
４１    掻込ベルト
４２    株元搬送装置
４３    下部搬送装置
４４    上部搬送装置
８１    伝動ギアケース
１００  右第一支持パイプ
１０１  右第二支持パイプ
１０２  右第三支持パイプ
１０４  伝動パイプ
１２３  チェーン
【図１】
0003831520.tif 000002
【図２】
0003831520.tif 000003
【図３】
0003831520.tif 000004
【図４】
0003831520.tif 000005
【図５】
0003831520.tif 000006
【図６】
0003831520.tif 000007
【図７】
0003831520.tif 000008
【図８】
0003831520.tif 000009